(57)【要約】【課題】適切な露出設定でノンフラッシュ撮影とフラッシュ撮影を連続して行う。【解決手段】デジタルカメラ１０は、ストロボ１３の発光をしないノンフラッシュ撮影と、レリーズに同期してストロボ発光をするフラッシュ撮影とをレンズして行う特殊連続撮影モードを備えており、レリーズボタン１６の半押し時には、ＡＥ検出回路５４で行ったＡＥ処理から露出設定を決定し、レリーズボタン１６の全押し時には、決定した露出設定に基づき、同一の露出値、またはフラッシュ撮影及びノンフラッシュ撮影応じた露出値で連続して撮影を行う。フラッシュ撮影及びノンフラッシュ撮影で取得した画像がＬＣＤパネル１５に表示される。【選択図】図３
2010224560.tif 000002
【特許請求の範囲】
【請求項１】
フラッシュ発光の有無を切り替えて撮影を行い、画像データを出力するフラッシュ撮影及びノンフラッシュ撮影が可能であり、一回のレリーズ動作に応じて、前記ノンフラッシュ撮影と、前記フラッシュ撮影とを連続して行う特殊連続撮影モードを備えた撮影手段と、この撮影手段による撮影時に測光及び露出演算を行って露出設定を決定する露出決定手段とを備えたデジタルカメラにおいて、
被写体輝度が所定値以上の場合に、測光感度および撮影感度を下げるべきか否かを判定する判定手段を備えており、前記特殊連続撮影モード下で、前記判定手段が測光感度及び撮影感度を下げると判定した場合、前記露出決定手段は、低測光感度および低撮影感度で測光及び演算を行って露出設定を決定し、前記撮影手段は、低撮影感度で前記ノンフラッシュ撮影及び前記フラッシュ撮影を行うことを特徴とするデジタルカメラ。
【請求項２】
前記特殊連続撮影モード下で、前記判定手段が測光感度及び撮影感度を下げると判定した場合、前記露出決定手段は、低測光感度及び低撮影感度用の露出設定に切り替えることを特徴とする請求項１記載のデジタルカメラ。
【発明の詳細な説明】
【技術分野】
【０００１】
本発明は、デジタルカメラに関するものである。
【背景技術】
【０００２】
デジタルカメラは、コンパクトタイプや一眼レフタイプ、また、携帯電話などの電子機器に組み込まれたものも含めて様々な種類のものがあり、デジタルカメラのそれぞれのタイプに応じて様々な機能を有しており、例えば、一眼レフタイプのデジタルカメラでは、複数回の撮影を連続的に行う連写機能を有するものがある。また、このような連写機能を有するデジタルカメラの中には、その連続撮影中に、各撮影に同期させてストロボ発光を行うものが知られている（例えば、特許文献１参照）。
【０００３】
特許文献１記載のデジタルスチルカメラ及びその連続撮影の制御方法ではさらに、撮影距離，絞り、撮影感度に基づいて、適正露光とするための発光量を求め、この発光量でのストロボ発光が可能であるか否かを、メインコンデンサの充電電圧等に基づいて連続撮影中に判断する。発光可能な間は、ストロボ発光を行ってのストロボ撮影を行い、ストロボ発光が不可能となった以降は、アベイラブル光の下で適正露出が得られるように、絞り、シャッタ速度、撮影感度の組み合せを設定して連続撮影を続行する。
【先行技術文献】
【特許文献】
【０００４】
【特許文献１】特開２００５−２８４１６６号公報
【発明の概要】
【発明が解決しようとする課題】
【０００５】
しかしながら、上記特許文献１では、メインコンデンサの充電電圧等に基づいてフラッシュ撮影、又はノンフラッシュ撮影かの判定をするものであり、フラッシュの有無について、ユーザーの意思を反映することができない。さらにフラッシュ撮影及びノンフラッシュ撮影のうち、どちらが好ましい画像を撮影できるかという選択は、撮影した画像を確認しなければ分からない面があり、ノンフラッシュ撮影及びフラッシュ撮影の両方を撮影し、比較できるようにすることが望まれている。
【０００６】
本発明は上記事情を考慮してなされたものであり、ノンフラッシュ撮影とフラッシュ撮影を連続して行うときに、適切な露出設定で撮影を行い、両方の撮影で取得した画像を比較することができるデジタルカメラを提供することを目的とする。
【課題を解決するための手段】
【０００７】
上記目的を達成するため、請求項１に記載のデジタルカメラでは、フラッシュ発光の有無を切り替えて撮影を行い、画像データを出力するフラッシュ撮影及びノンフラッシュ撮影が可能であり、一回のレリーズ動作に応じて、前記ノンフラッシュ撮影と、前記フラッシュ撮影とを連続して行う特殊連続撮影モードを備えた撮影手段と、この撮影手段による撮影時に測光及び露出演算を行って露出設定を決定する露出決定手段とを備えたデジタルカメラにおいて、被写体輝度が所定値以上の場合に、測光感度および撮影感度を下げるべきか否かを判定する判定手段を備えており、前記特殊連続撮影モード下で、前記判定手段が測光感度及び撮影感度を下げると判定した場合、前記露出決定手段は、低測光感度および低撮影感度で測光及び演算を行って露出設定を決定し、前記撮影手段は、低撮影感度で前記ノンフラッシュ撮影及び前記フラッシュ撮影を行うことを特徴とする。
【０００８】
前記特殊連続撮影モード下で、前記判定手段が測光感度及び撮影感度を下げると判定した場合、前記露出決定手段は、低測光感度及び低撮影感度用の露出設定に切り替えることが好ましい。
【発明の効果】
【０００９】
本発明によれば、特殊連続撮影モード下で、測光感度及び撮影感度を下げると判定した場合、低測光感度および低撮影感度で測光及び演算を行って露出設定を決定し、低撮影感度でノンフラッシュ撮影及びフラッシュ撮影を行っているので、特殊連続撮影モード下のノンフラッシュ撮影及びフラッシュ撮影で露出設定が適正な画像を得ることができる。
【図面の簡単な説明】
【００１０】
【図１】本発明のデジタルカメラの正面側外観斜視図である。
【図２】本発明のデジタルカメラの背面側外観斜視図である。
【図３】本発明のデジタルカメラの概略的な構成を示すブロック図である。
【図４】第１実施形態の露出設定を決定するときのプログラム線図である。
【図５】第１実施形態の主なシーケンスを示すフローチャートである。
【図６】撮影後の確認画像の表示の一例を示す説明図である。
【図７】撮影後の確認画像の表示の別の実施例を示す説明図である。
【図８】撮影後の確認画像の表示の別の実施例を示す説明図である。
【図９】第２実施形態の露出設定を決定するときのプログラム線図である。
【図１０】第２実施形態の主なシーケンスを示すフローチャートである。
【図１１】第３実施形態の露出設定を決定するときのプログラム線図である。
【図１２】第３実施形態の主なシーケンスを示すフローチャートである。
【図１３】第４実施形態の露出設定を決定するときのプログラム線図である。
【図１４】第４実施形態の主なシーケンスを示すフローチャートである。
【図１５】第４実施形態の感度ダウン判定処理の主なシーケンスを示すフローチャートである。
【図１６】第５実施形態の警告表示処理の主なシーケンスを示すフローチャートである。
【図１７】第５実施形態の警告表示画面の一例を示す説明図である。
【図１８】メモリカードに記憶する画像ファイルの構造の一例を示す説明図である。
【図１９】メモリカードに記憶する画像ファイルの構造の別の実施例を示す説明図である。
【図２０】第６実施形態のデジタルカメラの概略的な構成を示すブロック図である。
【図２１】第７実施形態の主なシーケンスを示すフローチャートである。
【図２２】撮影情報及び警告情報を１枚目及び２枚目の両方に関して表示する画面の一例を示す説明図である。
【図２３】撮影情報及び警告情報を１枚目及び２枚目の両方に関して表示する画面の別の実施例を示す説明図である。
【図２４】撮影情報及び警告情報を一方の撮影に関してのみ表示する画面の一例を示す説明図である。
【図２５】撮影情報及び警告情報を切り替えて表示する画面の一例を示す説明図である。
【発明を実施するための形態】
【００１１】
以下、本発明の第１実施形態を適用したデジタルカメラについて説明する。図１及び図２に示すデジタルカメラ１０は、略直方体形状のカメラ本体１１の前面に、撮影レンズ１２と、ストロボ１３とが設けられている。また、カメラ本体１１の背面には、画像を表示する表示手段であるＬＣＤパネル１５とが設けられている。さらに、このＬＣＤパネル１５の表面には、後述するように、タッチパネル（図３参照）１９が設けられている。また、カメラ本体１１の上面には、レリーズボタン１６と、電源ボタン１７と、モード選択ダイヤル１８とが設けられている。なお、本実施形態では、レリーズボタン１６は、半押し位置と、この半押し位置からさらに押し込んだ全押し位置とに押圧操作可能となっている。さらに、カメラ本体１１の底面には、画像データが記憶されるメモリカード５１（図３参照）が着脱自在に装填されるスロット（図示せず）が設けられている。このメモリカード５１に撮影された画像データが書き込まれて保存される。
【００１２】
このデジタルカメラ１０は、モード選択ダイヤル１８の操作によって、通常撮影モード、特殊連続撮影モード、及び撮影済みの画像を再生してＬＣＤパネル１５に表示する再生モードなどを切り替えて実行することができる。また、デジタルカメラ１０は、レリーズボタン１６及び電源ボタン１７による操作以外は、ＬＣＤパネル１５に表示された操作アイコンに対して、ユーザの指、又は付属する操作ペン（図示せず）を用いて、タッチパネル１９に触れることによって操作を行う。
【００１３】
ストロボ１３は、通常撮影モード下でストロボ撮影を行うとき、及び後述する特殊連続撮影モード下でストロボ撮影を行うとき、レリーズに同期してストロボ光を被写体に向けて照射する。ストロボ発光量は、ストロボ光による露光量が適正となるように撮影距離、撮影感度、絞り値に応じて決定される。通常モード下では、被写体輝度が所定レベルより低いときには、ストロボ発光が行われ、被写体輝度が所定レベルより高いときには、ストロボ発光が行われない。なお、通常モード下ではストロボ発光の要否を手動で選択できるようにしてもよい。
【００１４】
本実施形態では、特殊連続撮影モードが選択されたときには、一回のレリーズ全押し動作に対して、最初にストロボを発光しないノンフラッシュ撮影を行い、その次にレリーズに同期してストロボ光を照射させるフラッシュ撮影を連続して行い、それぞれ画像データを取得する特殊連続撮影を実行する。
【００１５】
デジタルカメラ１０の構成を示す図３において、ＣＰＵ２１は、レリーズボタン１６、電源ボタン１７及びタッチパネル１９等から入力される各種の操作信号に応じて、Ｉ／Ｏバス２３を介してデジタルカメラ１０の本体各部を制御する。
【００１６】
撮影レンズとしてのズームレンズ１２は、レンズ２６と絞り２７を備える。レンズ２６は、ステッピングモータを含むレンズ駆動機構２８によって駆動され、光学ズーム倍率の変更と焦点調節が行われる。
【００１７】
絞り２７は、ステッピングモータを含む絞り駆動機構２９によってステップ駆動され、絞り径が、複数の絞り値のいずれかに切り換えられる。この目標絞り値は、例えば、絞り２７の開放絞りがＦ２．８，最小絞りがＦ１１である場合、これらの開放絞りＦ２．８，最小絞りＦ１１も含め、Ｆ４，Ｆ５．６，Ｆ８となる。レンズ駆動機構２８及び絞り駆動機構２９は、ＣＰＵ２１に制御されるモータドライバ３１，３２によって駆動される。
【００１８】
ズームレンズ１２の背後には、固体撮像素子としてＣＣＤ３５が配置されている。このＣＣＤ３５は、タイミングジェネレータ（ＴＧ）３６を介してＣＰＵ２１に接続されている。撮影モードにおいては、ＣＰＵ２１は、ＴＧ３６を制御してタイミング信号（クロックパルス）を発生させ、ＣＣＤ３５は、ＴＧ３６から入力されるタイミング信号によって駆動される。
【００１９】
ズームレンズ１２により形成された光学画像がＣＣＤ３５の受光面に結像され、光電変換されてアナログの撮像信号が出力される。この撮像信号は、相関二重サンプリング回路（ＣＤＳ）３７に入力され、ＣＣＤ３５の各セルの蓄積電荷量に対応したＲ，Ｇ，Ｂの画像データとして出力される。ＣＤＳ３７から出力された画像データは、増幅器（ＡＭＰ）３８で増幅され、Ａ／Ｄ変換器（Ａ／Ｄ）３９によって、アナログ信号からデジタルな画像データに変換される。
【００２０】
画像入力コントローラ４１は、Ｉ／Ｏバス２３を介してＣＰＵ２１に接続されている。また、Ｉ／Ｏバス２３には、内部メモリ４３が接続されており、この内部メモリ４３としては、例えば、ＳＤＲＡＭ（Synchronous Dynamic Random Access Memory）が用いられる。ＣＰＵ２１は、画像入力コントローラ４１を制御して、Ａ／Ｄ３９から出力された画像データを内部メモリ４３に記憶させる。画像信号処理回路４６は、内部メモリ４３に記憶された画像データにアクセスして、階調変換、ホワイトバランス補正、γ補正処理等の各種画像処理を施す。
【００２１】
撮影モードでは、所定のフレームレートでＣＣＤ３５が撮像処理を行い、取得した画像データに対して上記画像処理が施され、処理済みの撮影画像がライブ画像としてＬＣＤパネル１５にスルー表示される。ＬＣＤパネル１５は、ＬＣＤドライバ４８によって駆動される。ＬＣＤドライバ４８は、画像メモリやＤ／Ａコンバータを備えており、画像メモリに一時的に蓄積した処理済みの画像データを、Ｄ／Ａコンバータで、例えば、ＮＴＳＣ方式のアナログ信号に変換して、ＬＣＤパネル１５に出力する。
【００２２】
レリーズ操作が行われると、ＣＣＤ３５によって、スルー表示用のライブ画像よりも画素数の大きな本画像データが取得される。この本画像データに対しては、上記画像処理がなされるとともに、圧縮伸張処理回路４９によって、所定の圧縮形式（例えば、ＪＰＥＧ形式）で圧縮処理が施される。圧縮処理が施された本画像データは、メディアコントローラ５０を介してメモリカード５１に記憶される。
【００２３】
前記Ｉ／Ｏバス２３には、前記メディアコントローラ５０等の他に、ＡＥ検出回路５３，ＡＦ検出回路５４，フラッシュメモリ５５が接続されている。ＡＦ検出回路５４は、画像入力コントローラ４１から出力される撮像信号から高周波数成分のコントラストデータを抽出してＣＰＵ２１に送る。ＣＰＵ２１は、モータドライバ２７を介してレンズ駆動機構２８を制御し、フォーカシングレンズを光軸方向に進退させて、被写体像の高周波数成分のコントラストが最も高くなる位置で停止させる。
【００２４】
ＡＥ検出回路５３は、画像入力コントローラ４１から出力される撮像信号の輝度信号を積分演算し、得られた測光データとしての輝度積分値（被写体輝度値）を検出、また光源の種類の検出を行い、それらの被写体輝度値、光源情報などをＣＰＵ２１に送る。ＣＰＵ２１は、被写体輝度値に基づいて、適正となる絞り値、シャッタ速度、撮影感度、などの露出設定を決定する。本実施形態においては、特殊連続撮影モード下では、被写体輝度値に基づいて決定した同一の露出設定でノンフラッシュ撮影及びフラッシュ撮影を行う。なお、この露出設定としては、図４に示すプログラム線図６０がデータとしてフラッシュメモリ５５に格納されており、ＣＰＵ２１はこのプログラム線図６０を読み出し、被写体輝度値に基づいてシャッタ速度、絞り値を決定する。そしてＣＰＵ２１は決定された露出設定に応じた所定の絞り値が絞り２７にセットされるようにモータドライバ３２を介して絞り駆動機構２９を制御するとともに、所定の撮影感度をＣＤＳ３７，ＡＭＰ３８にセットし、さらに、所定のシャッタ速度となるようにＴＧ３６を制御してタイミング信号を発生させる。また、本実施形態では、ノンフラッシュ撮影及びフラッシュ撮影ともに撮影感度が常に一定となるようにＣＤＳ３７，ＡＭＰ３８を制御している。
【００２５】
なお、前記フラッシュメモリ５５は、周知の不揮発性メモリであり、各種プログラムやデータ，各種制御用のパラメータ等も記憶してある。
【００２６】
このように構成されたデジタルカメラ１０で特殊連続撮影を行うには、図５のフローチャートに示すように、電源ボタン１４を押して（ｓｔ１）からモード選択ダイヤル１５を操作して特殊連続撮影モードを選択すると（ｓｔ２）、画像入力コントローラ４１から出力された画像データが、ＬＣＤドライバ４８を介してスルー画像としてＬＣＤパネル１５に表示される（ｓｔ３）。ＬＣＤパネル１５を電子ビューファインダとして、ＬＣＤパネル１５の表示画像を観察してフレーミングを行う。ユーザが特殊連続撮影を行おうとする際には、まずレリーズボタン１６を半押し（軽くレリーズボタン１６を押圧する）すると（ｓｔ４）、ＡＥ処理（ｓｔ５）及びＡＦ処理（ｓｔ６）がスタートする。
【００２７】
ＡＥ処理では、ＡＥ検出回路５３は、撮像信号の輝度信号を取り込んで積分演算し、この輝度積分値（被写体輝度値）をＣＰＵ２１に送る。ＣＰＵ２１は、プログラム線図６０を読み出し、被写体輝度値に基づいた絞り値、シャッタスピードなどの露出設定を決定する。なお図４に示す例では、撮影時の被写体輝度値が１３ＥＶであり、この時線図と交差する位置から、シャッタスピードがＴＶ８（１／２５０Ｓ）、絞り値がＡＶ５（Ｆ５．８）と求められる。そして、ＣＰＵ２１は、その決定した露出設定となるように絞り駆動機構２９、ＴＧ３６を駆動する（ｓｔ７）。
【００２８】
また、ＡＦ処理では、ＡＦ検出回路５４は、撮像信号から高周波数成分のコントラストデータを抽出し、ＣＰＵ２１に送る。ＣＰＵ２１は、モータドライバ２７を介してレンズ駆動機構２８を制御し、レンズ２６を光軸方向に進退させて、被写体像の高周波数成分のコントラストが最も高くなる位置を探し出して停止させる。
【００２９】
ユーザは、ＬＣＤパネル１５に表示されたスルー画像を確認し（ｓｔ８）、半押し位置から更に深い全押し位置までレリーズボタン１６を押し下げる（ｓｔ９）。次の瞬間、先ずノンフラッシュ撮影が行われ（ｓｔ１０）、露出設定に基づくシャッタ速度に対応する電荷蓄積時間でＣＣＤ３５から撮像信号の読出が行われる。ＣＣＤ３５から出力された撮像信号は、ＣＤＳ３７，ＡＭＰ３８，Ａ／Ｄ変換器３９を経て画像入力コントローラ４１に入力される。この画像入力コントローラ４１から出力されたノンフラッシュ撮影による画像データは、内部メモリ４３に一時保存される。そして最初のノンフラッシュ撮影が完了すると、次にＣＰＵ２１は、所定の光量でフラッシュ撮影を行うようにストロボ１３による発光を同期させながら、シャッタ速度に対応する電荷蓄積時間でＣＣＤ３５から撮像信号の読出が行われる（ｓｔ１１）。そして、内部メモリ４３に画像データが一時保存され、フラッシュ撮影が完了する。フラッシュ撮影が完了すると、ＣＰＵ２１は、ノンフラッシュ撮影及びフラッシュ撮影で取得した画像データを内部メモリ４３から読み出し、ＬＣＤパネル１５に表示させる（ｓｔ１２）。これらの確認用の画像は図６に示すように表示される。先ず、ＬＣＤパネル１５には、ノンフラッシュ撮影の画像６１が表示され（図６（Ａ）に示す状態）、次にフラッシュ撮影の画像６２が表示される（図６（Ｂ）に示す状態）。これらの確認画像の表示後、ＣＰＵ２１は、画像データを圧縮伸長処理回路４４で圧縮してデータ容量を小さくしてから、メディアコントローラ５０を介してメモリカード５１に記憶させる（ｓｔ８）。なお、図６に示す確認画像を表示するとき、同時にメモリカード２１への記憶を行ってもよく、例えばノンフラッシュ撮影の画像６１の表示中（図６（Ａ）に示す状態）に、この画像６１のデータをメモリカード２１に書き込みを行い、この書き込みが完了したときに、ＬＣＤパネル１５の表示をフラッシュ撮影の画像６２の表示に切り替えて、さらにこの画像６２のデータをメモリカード５１に書き込む（ｓｔ１３）。これらのノンフラッシュ撮影及びフラッシュ撮影の画像データの記録が終了すると、一回の特殊連続撮影が終了し、ＣＰＵ２１は、ＬＣＤパネル１５の表示をスルー画像に戻す。そしてユーザーが所望の回数だけレリーズボタン１６を押圧して撮影を実行し、特殊連続撮影モード下での撮影が終了する。
【００３０】
このように、一回のレリーズ動作でノンフラッシュ撮影及びフラッシュ撮影を連続して行い、それらの画像データを取得しているので、撮影後、ノンフラッシュ撮影及びフラッシュ撮影の画像を確認、比較して旨く撮れているほうの画像を選択することができる。
【００３１】
上記第１実施形態では、特殊連続撮影後の確認画像の表示では、ノンフラッシュ撮影及びフラッシュ撮影の画像をそれぞれ別に表示しているが、本発明はこれに限らず、図７に示すように、ノンフラッシュ撮影で取得した画像６１、及びフラッシュ撮影で取得した画像６２の両方をＬＣＤパネル１５の同一画面内に表示するようにしてもよい。これによって、両方の撮影で取得した画像をより比較しやすくなっている。
【００３２】
また、上記第１実施形態においては、特殊連続撮影後に、ノンフラッシュ撮影及びフラッシュ撮影のポストビュー画像（確認画像）を表示するときのタイミングは上記の例に限らず、例えば、特殊連続撮影が終了（最後のコマの画像データを取得）した直後から、各撮影の確認画像を所定の時間間隔で切り替えて表示するようにしてもよい。あるいは、図８に示すように、ＬＣＤパネル１５の画面内に切り替えボタン６３ａ，６３ｂを表示し、この切り替えボタン６３ａ，６３ｂをタッチパネル１９で操作すると、確認画像６４が切り替わるようにしてもよい。なお、操作手段としては、タッチパネル１９を用いたものに限らず、切り替え用の操作部材を別に設けるようにしてもよい。
【００３３】
また、上記第１実施形態では、特殊連続撮影後に、ノンフラッシュ撮影及びフラッシュ撮影をメモリカード５１に書き込む前に確認画像の表示を行っているが、本発明はこれに限らず、メモリカード５１への書き込み後に各撮影の確認画像の表示を行ってもよい。なお、この画像の確認後は、例えば、元の表示に戻すことを入力するボタン６５（図８参照）をタッチパネルで操作することによって、確認画像の表示からもとの表示画面（例えば、次の撮影に備えるスルー画像表示）に戻すようにすればよい。あるいは、所定の時間、確認画像を表示した後は、もとの表示画面に戻すようにしてもよい。
【００３４】
なお、上記実施形態においては、特殊連続撮影モード下で、レリーズボタン押圧時のＡＥ処理で決定した同一の露出設定によって、ノンフラッシュ撮影及びノンフラッシュ撮影をともに行うようにしているが、本発明はこれに限るものではなく、以下ので説明する本発明の第２実施形態では、ノンフラッシュ撮影及びフラッシュ撮影をそれぞれ別の露出設定で実行する例を示す。この第２実施形態を適用するデジタルカメラの構成としては、上記第１実施形態のものと同様の部品を使用するため説明を省略する。
【００３５】
この第２実施形態では、図９に示すノンフラッシュ撮影及びフラッシュ撮影用のプログラム線図７１，７２がフラッシュメモリ５５に格納されており、特殊連続撮影モード下で、ＡＥ処理を行うとき、ＣＰＵ２１は、プログラム線図７１，７２をそれぞれ読み出し、これらのプログラム線図７１，７２及び被写体輝度値に基づいて、ノンフラッシュ撮影及びフラッシュ撮影にそれぞれ適した露出設定を決定する。そして、ＣＰＵ２１は、それぞれの露出設定でノンフラッシュ撮影及びフラッシュ撮影を行う。
【００３６】
この第２実施形態を適用したデジタルカメラで特殊連続撮影を行うには、図１０のフローチャートに示すように、電源オン（ｓｔ１）から特殊連続撮影モード選択（ｓｔ２）の後、スルー画像が表示される（ｓｔ３）と、ユーザーはＬＣＤパネル１５の表示画像を観察してフレーミングし、レリーズボタン１６を半押しすると（ｓｔ４）、ＡＥ処理（ｓｔ５）及びＡＦ処理（ｓｔ６）がスタートする。ＡＥ処理では、ＡＥ検出回路５３は、撮像信号の輝度信号を取り込んで積分演算し、この輝度積分値（被写体輝度値）をＣＰＵ２１に送る。ＣＰＵ２１は、プログラム線図７１，７２を読み出し、被写体輝度値に基づいてフラッシュ撮影及びノンフラッシュ撮影に適した露出設定を決定する。なお図９に示す例では、撮影時の被写体輝度値が８ＥＶであり、この時、ノンフラッシュ撮影用のプログラム線図７１からはシャッタスピードがＴＶ５（１／３０Ｓ）、絞り値がＡＶ３（Ｆ２．８）と求められる。さらに、フラッシュ用のプログラム線図７２から露出設定を求める場合には、被写体輝度値（８ＥＶ）が暗すぎるため線図から外れていることから、その付近で一番明るい設定としてシャッタスピードがＴＶ６（１／６０Ｓ）、絞り値がＡＶ３（Ｆ２．８）と求められる。そして、ＣＰＵ２１は、その決定した露出設定となるように絞り駆動機構２９、ＴＧ３６を駆動する（ｓｔ７）。ユーザは、ＬＣＤパネル１５に表示されたスルー画像を確認し（ｓｔ８）、半押し位置から更に深い全押し位置までレリーズボタン１６を押し下げる（ｓｔ９）。
【００３７】
レリーズボタン１６を全押しすると、次の瞬間、先ずプログラム線図７１に基づく露出設定でノンフラッシュ撮影が行われ（ｓｔ１０）、画像データが内部メモリ４３に一時保存される。そして最初のノンフラッシュ撮影が完了すると、次にＣＰＵ２１は、プログラム線図７２に基づく露出設定に切り替えて（ｓｔ１１）、所定の光量でフラッシュ撮影を行うようにストロボ１３による発光を同期させながら、フラッシュ撮影が行われ（ｓｔ１２）、内部メモリ４３に画像データが一時保存される。フラッシュ撮影が完了すると、ＣＰＵ２１は、ノンフラッシュ撮影及びフラッシュ撮影で取得した画像データを内部メモリ４３から読み出し、ＬＣＤパネル１５に表示させた後（ｓｔ１３）、画像データを圧縮伸長処理回路４９で圧縮してデータ容量を小さくしてから、メディアコントローラ５０を介してメモリカード５１に記憶させる（ｓｔ１４）。
【００３８】
このように、一回のレリーズ動作でノンフラッシュ撮影及びフラッシュ撮影を連続して行い、それらの画像データを取得するとき、ノンフラッシュ撮影及びフラッシュ撮影のそれぞれ最適な露出設定で撮影を行っているので、上記第１実施形態の効果に加えて、さらに露出設定が望ましい画像を得ることができる。
【００３９】
なお、上記第１実施形態では、ノンフラッシュ撮影及びフラッシュ撮影ともに撮影感度が常に一定としているが、本発明はこれに限らず、以下で説明する本発明の第３実施形態では、被写体の光量に応じて撮影感度を変更し、特殊連続撮影する例を示す。この第３実施形態を適用するデジタルカメラの構成としては、上記第１実施形態のものと同様の部品を使用するため説明を省略する。
【００４０】
この第３実施形態では、図１１に示すノンフラッシュ撮影及びフラッシュ撮影用のプログラム線図８１，８２がフラッシュメモリ５５に格納されており、特殊連続撮影モード下で、ＡＥ処理を行うとき、ＣＰＵ２１は、プログラム線図８１，８２をそれぞれ読み出し、これらのプログラム線図８１，８２及び被写体輝度値に基づいて、ノンフラッシュ撮影及びフラッシュ撮影にそれぞれ適したシャッタスピード、絞り値、及び撮影感度からなる露出設定を決定する。そして、ＣＰＵ２１は、それぞれの露出設定でノンフラッシュ撮影及びフラッシュ撮影用を行う。これらのプログラム線図８１，８２に示すように、被写体輝度が低いときには、それぞれ、撮影感度を１ＳＶ、２ＳＶ、３ＳＶとそれぞれアップする。
【００４１】
この第３実施形態を適用したデジタルカメラで特殊連続撮影を行うには、図１２のフローチャートに示すように、電源オン（ｓｔ１）から特殊連続撮影モード選択（ｓｔ２）の後、スルー画像が表示される（ｓｔ３）と、ユーザーはＬＣＤパネル１５の表示画像を観察してフレーミングし、レリーズボタン１６を半押しすると（ｓｔ４）、ＡＥ処理（ｓｔ５）及びＡＦ処理（ｓｔ６）がスタートする。ＡＥ処理では、ＡＥ検出回路５３は、撮像信号の輝度信号を取り込んで積分演算し、この輝度積分値（被写体輝度値）をＣＰＵ２１に送る。ＣＰＵ２１は、プログラム線図８１，８２を読み出し、被写体輝度値に基づいてフラッシュ撮影及びノンフラッシュ撮影に適した露出設定を決定する。なお図１１に示す例では、撮影時の被写体輝度値が６ＥＶであり、この時、ノンフラッシュ撮影用のプログラム線図８１からはシャッタスピードがＴＶ５（１／３０Ｓ）、絞り値がＡＶ３（Ｆ２．８）、さらに撮影感度が３ＳＶアップと求められる。さらに、フラッシュ用のプログラム線図８２から露出設定を求める場合には、被写体輝度値（６ＥＶ）が暗すぎるため線図から外れていることから、その付近で一番明るい設定としてシャッタスピードがＴＶ６（１／６０Ｓ）、絞り値がＡＶ３（Ｆ２．８）、撮影感度が１ＳＶアップと求められる。そして、ＣＰＵ２１は、その決定した露出設定となるように絞り駆動機構２９、ＴＧ３６、及びＣＤＳ３７，ＡＭＰ３８を駆動する（ｓｔ７）。ユーザは、ＬＣＤパネル１５に表示されたスルー画像を確認し（ｓｔ８）、半押し位置から更に深い全押し位置までレリーズボタン１６を押し下げる（ｓｔ９）。
【００４２】
レリーズボタン１６を全押しすると（ｓｔ９）、次の瞬間、先ずプログラム線図８１に基づくシャッタスピード、絞り値、及び撮影感度からなる露出設定でノンフラッシュ撮影が行われ（ｓｔ１０）、画像データが内部メモリ４３に一時保存される。そして最初のノンフラッシュ撮影が完了すると、次にＣＰＵ２１は、プログラム線図８２に基づくシャッタスピード、絞り値、及び撮影感度からなる露出設定に切り替えて（ｓｔ１１）所定の光量でフラッシュ撮影を行うようにストロボ１３による発光を同期させながら、フラッシュ撮影が行われ（ｓｔ１２）、内部メモリ４３に画像データが一時保存される。フラッシュ撮影が完了すると、ＣＰＵ２１は、ノンフラッシュ撮影及びフラッシュ撮影で取得した画像データを内部メモリ４３から読み出し、ＬＣＤパネル１５に表示させた後（ｓｔ１３）、画像データを圧縮伸長処理回路４９で圧縮してデータ容量を小さくしてから、メディアコントローラ５０を介してメモリカード５１に記憶させる（ｓｔ１４）。
【００４３】
このように、一回のレリーズ動作でノンフラッシュ撮影及びフラッシュ撮影を連続して行い、それらの画像データを取得するとき、ノンフラッシュ撮影及びフラッシュ撮影において、撮影感度の変更を含むそれぞれ最適な露出設定で撮影を行っているので、上記第１及び第２の実施形態の効果に加えて、さらに露出設定が望ましい画像を得ることができる。
【００４４】
なお、上記第１実施形態においては、特殊連続撮影モード下で、測光感度及び撮影感度を常に一定としてノンフラッシュ撮影及びフラッシュ撮影を連続して行っているが、本発明はこれに限らず、以下で説明する本発明の第４実施形態では、被写体の光量に応じて撮影感度及び測光感度を変更し、特殊連続撮影を行う例を示す。この第４実施形態を適用するデジタルカメラの構成としては、上記第１実施形態のものと同様の部品を使用するため説明を省略する。なお、本実施形態の場合、ＣＰＵ２１が感度ダウンの判定を行う判定手段として機能する。
【００４５】
この第４実施形態では、図１３に示すプログラム線図９１がフラッシュメモリ５５に格納されており、特殊連続撮影モード下で、ＡＥ処理を行うとき、ＣＰＵ２１は、プログラム線図９１をそれぞれ読み出し、これらのプログラム線図９１及び被写体輝度値に基づいて、露出設定を決定する。そして、ＣＰＵ２１は、この露出設定でノンフラッシュ撮影及びフラッシュ撮影を行う。これらのプログラム線図９１に示すように、被写体輝度が低いときは、実線の線図９１ａを使用し、被写体輝度が高いときには、点線及び一点鎖線の線図９１ｂ，９１ｃをそれぞれ使用する。なお、線図９１ｂ，９１ｃは、ノンフラッシュ撮影及びフラッシュ撮影用の露出設定であり、撮影感度及び測光感度のダウンに合わせて露出設定を上げるようにしている。なお、この感度の設定としては例えばＩＳＯ感度を使用する。
【００４６】
この第４実施形態を適用したデジタルカメラで特殊連続撮影を行うには、図１４のフローチャートに示すように、電源オン（ｓｔ１）から特殊連続撮影モード選択（ｓｔ２）の後、スルー画像が表示される（ｓｔ３）と、ユーザーはＬＣＤパネル１５の表示画像を観察してフレーミングし、レリーズボタン１６を半押しすると（ｓｔ４）、ＣＰＵ２１は感度ダウンの判定を行う判定処理が行われる。この感度ダウンの判定を行う判定処理は図１５に示すように、先ずはＩＳＯ感度設定が自動設定もしくは固定値のいずれかが選択されているかを検出する（ｓｔ１０１）。なお、固定値設定となっている場合は、感度ダウンの処理を行わず固定値の感度設定をそのまま使用する。そして、ＬＣＤパネル１５にスルー画像が表示されているか否かを検出し（ｓｔ１０２）、スルー画像が表示されているとき、ＣＰＵ２１は、この表示中の最後のフレームを抜き出してＡＥ検出回路５３に送る（ｓｔ１０３）、なお、スルー画像が表示されていないときは、感度ダウンの処理を行わない。ＡＥ検出回路５３は、抜き出したフレームから輝度信号を取り込んで積分演算し（ｓｔ１０４）、この仮輝度積分値（仮被写体輝度値）をＣＰＵ２１に送る。ＣＰＵ２１はこの仮輝度積分値が所定値を超えるか否かを判定し（ｓｔ１０５）、所定値以上のときには、仮被写体輝度値に応じた感度ダウン値の算出を行う（ｓｔ１０６）。感度ダウン値が所定値を超えるか否かを判定し（ｓｔ１０７）、所定値以上のときには、測光感度及び撮影感度をダウンさせる設定に切り替える（ｓｔ１０８）。あるいは、所定値未満のときは、測光感度及び撮影感度をそのままとし（ｓｔ１０９）、判定処理を終了する。
【００４７】
感度ダウンの判定処理を終了すると、ＡＥ処理（ｓｔ５）及びＡＦ処理（ｓｔ６）がスタートする。ＡＥ処理では、ＡＥ検出回路５３は、撮像信号の輝度信号を取り込んで積分演算し、この輝度積分値（被写体輝度値）をＣＰＵ２１に送る。なお、上述の感度ダウン判定処理で感度ダウンと決定されたときには、その設定に基づいて撮影感度及び測光感度をダウンさせるように、ＴＧ３６、及びＣＤＳ３７，ＡＭＰ３８を駆動する。ＣＰＵ２１は、線図９１ａの露出設定から線図９１ｂ，９１ｃの露出設定に切り替えて絞り駆動機構２９、ＴＧ３６、及びＣＤＳ３７，ＡＭＰ３８を駆動する（ｓｔ７）。ユーザは、ＬＣＤパネル１５に表示されたスルー画像を確認し（ｓｔ８）、半押し位置から更に深い全押し位置までレリーズボタン１６を押し下げる（ｓｔ９）。
【００４８】
レリーズボタン１６を全押しすると、次の瞬間、線図９１ａ、または線図９１ｂに基づくシャッタスピード、絞り値、及び撮影感度からなる露出設定でノンフラッシュ撮影が行われ（ｓｔ１０）、画像データが内部メモリ４３に一時保存される。そして最初のノンフラッシュ撮影が完了すると、次にＣＰＵ２１は、線図９１ａの露出設定のまま、あるいは線図９１ｃに基づくシャッタスピード、絞り値、及び撮影感度からなる露出設定に切り替えて所定の光量でフラッシュ撮影を行うようにストロボ１３による発光を同期させながら、フラッシュ撮影が行われ（ｓｔ１１）、内部メモリ４３に画像データが一時保存される。なお、上述の感度ダウン判定処理で感度ダウンが決定されたときは、その設定に基づいてＣＣＤ２５の撮影感度をダウンさせるようにＴＧ３６、及びＣＤＳ３７，ＡＭＰ３８を駆動してノンフラッシュ撮影及びフラッシュ撮影を行う。フラッシュ撮影が完了すると、ＣＰＵ２１は、ノンフラッシュ撮影及びフラッシュ撮影で取得した画像データを内部メモリ４３から読み出し、ＬＣＤパネル１５に表示させた（ｓｔ１２）後、画像データを圧縮伸長処理回路４４で圧縮してデータ容量を小さくしてから、メディアコントローラ５０を介してメモリカード５１に記憶させる（ｓｔ１３）。
【００４９】
このように、一回のレリーズ動作でノンフラッシュ撮影及びフラッシュ撮影を連続して行い、それらの画像データを取得するとき、ノンフラッシュ撮影及びフラッシュ撮影において、感度ダウンの判定としたときには測光感度及び撮影感度をダウンさせ、それらに応じた露出設定で撮影を行っているので、上記第１及び第２の実施形態の効果に加えて、さらに露出設定が望ましい画像を得ることができる。なお、このように、感度ダウンの設定で測光・露出演算を行ったとき、絞り値が開放絞りでも明るさが不足する演算結果となったときには、感度をアップさせた設定とし、ノンフラッシュ撮影及びフラッシュ撮影を行ってもよい。また、このような場合、ノンフラッシュ撮影及びフラッシュ撮影時とで露出設定が異なるときは、測光感度及び撮影感度もノンフラッシュ撮影及びフラッシュ撮影に合わせてそれぞれ異なる設定で撮影されるようにしてもよい。
【００５０】
なお、上記第４実施形態においては、露出設定の演算結果に応じてＣＣＤ３５の撮影感度を切り替えて撮影を行っているが本発明はこれに限るものではなく、例えば１枚目は撮影感度を上げて、２枚目はそれよりも撮影感度を下げるというように、撮影順によって撮影感度を切り替えて撮影を行うようにしてもよい。これによって、感度切り替えの判定や、演算などを行う必要がなく、各撮影間のタイムラグを短縮することができる。
【００５１】
また、上記第１〜４の構成に加えてさらに、特殊連続撮影モード下での撮影前に各種警告を行って撮影に支障が出る可能性をユーザーに知らせる構成とした第５の実施形態を以下で説明する。なお、本実施形態では、ＣＰＵ２１は警告判定を行う判定手段として機能し、それ以外は、上記第１の実施形態とほぼ同様の部品を使用する。また、警告の種類としては例えば、「フラッシュ発光予告警告」、「手ブレ注意警告」、「露出範囲外警告」、「ピント非合焦警告」を行い、これらの警告判定は、半押しレリーズ動作後、ＡＥ処理及びＡＦ処理を行っているときに同時に行われ、例えば「手ブレ注意警告」はスルー画像のフレーム間を比較して変化量が多いときに手ブレ状態と判定してそれを警告するものであり、また、「露出範囲外警告」は、被写体輝度が暗すぎるため最も明るい露出設定でも露光量が不足すること、さらにまた「ピント非合焦警告」は、被写体距離が撮影レンズの合焦可能範囲から外れていることを警告するものであり、ＣＰＵ２１は、これらの判定を行う。
【００５２】
上述したような警告判定が行われると、ＣＰＵ２１は、スルー画像表示中のＬＣＤパネル１５に警告内容を表示する。図１６のフローチャートでは、警告表示を行うときのＣＰＵ２１のシーケンスを示す。警告表示処理がスタートすると、先ず前回撮影時の警告内容を初期化し（ｓｔ２０１）、次にノンフラッシュ撮影及びフラッシュ撮影時の両方の撮影のうち、少なくともいずれか一方で警告判定がなされているときは、警告表示を行う設定する（ｓｔ２０２）。そして全ての警告内容について同様の処理を行う（ｓｔ２０３）と、図１７に示すような警告表示が行われる。図１７に示す警告表示では、スルー画像１０１の表示とともに、「フラッシュ発光予告警告」、「手ブレ注意警告」、「露出範囲外警告」、「ピント非合焦警告」をそれぞれ示すマーク１０２ａ〜１０２ｄがそれぞれ表示されている。なお、これらの警告内容は、ノンフラッシュ撮影及びフラッシュ撮影時の両方を対象とし、少なくともいずれか一方で警告判定がなされたときに警告表示を行っているので、２枚分（ノンフラッシュ撮影及びフラッシュ撮影の両方）の警告内容を表示する必要がなく表示面積を減らすことができる。よって、これらのマーク１０２ａ〜１０２ｄを確認するだけで、ユーザーはノンフラッシュ撮影及びフラッシュ撮影の両方で警告される内容を全て把握することができる。また、このとき、ＬＣＤパネル１５の同じ画面内に特殊連続撮影モード下であることを示すマーク１０３（非フラッシュとフラッシュをそれぞれ示すマーク１０３ａ、１０３ｂからなる）や、ＡＥ処理で算出された絞り、シャッタスピード、撮影感度などの情報を、１枚目（ノンフラッシュ撮影）の情報１０４ａ、及び２枚目（フラッシュ撮影）の情報１０４ｂとして表示してもよい。なお、警告手段としては、上記の例のように警告情報を表示する構成に限らず、音声や、文字などの警告手段を用いて警告するようにしてもよい。
【００５３】
なお、上記第１〜４の実施形態の構成に加えて、デジタルカメラ２の通常撮影モード下でスローシンクロ機能、すなわち、シャッタスピードを通常時よりも遅い値に切り替えて、その遅いシャッタスピードに同期させてフラッシュ発光を行う機能を備えた場合、特殊連続撮影モード下でノンフラッシュ撮影及びフラッシュ撮影を行うときには、このスローシンクロ機能を停止させて撮影を行うように制御を行うことが好ましい。これによって、ノンフラッシュ撮影及びフラッシュ撮影のとき、遅いシャッタスピードで撮影されることがなく、両方の撮影ともにブレが発生してしまうことを防ぐことができる。
【００５４】
また、上記第１〜４の実施形態の構成に加えて、特殊連続撮影モード下で、ノンフラッシュ撮影及びフラッシュ撮影時を行い、メモリカード５１に記録するときにノンフラッシュ撮影及びフラッシュ撮影に応じた付加情報を前記画像データにそれぞれ付加することが好ましい。この場合、画像データに付加情報を付加した画像ファイルの構造は、図１８に示すようになる。また付加情報としては、例えばＥｘｉｆ形式のデータを使用し、画像データのＥｘｉｆタグの領域に情報を書き込む。図１８に示す特殊連続撮影モード下で取得した画像ファイル１１１及び１１２では、画像データ１１１ａ、１１２ａと、ノンフラッシュ撮影及びフラッシュ撮影をそれぞれ行ったことを示す情報、さらにそのときのＡＥ処理で演算した露出設定などが付加情報１１１ｂ，１１２ｂとしてそれぞれ構成され、このような画像ファイル１１１及び１１２がメモリカード５１に記録される。
【００５５】
なお、画像データに付加する付加情報としては、上記のものに限定されるものではなく、図１９に示す画像ファイル１１３，１１４のような情報内容としてもよい。この図１９に示す特殊連続撮影モード下で取得した画像ファイル１１３及び１１４では、画像データ１１３ａ、１１４ａとともに、さらにそのときの日付、時間などの共通の付加情報１１５とからそれぞれ構成され、このような画像ファイル１１３及び１１４がメモリカード５１に記録される。これによって、同一回の撮影でノンフラッシュ撮影及びフラッシュ撮影を連続して行った画像データであることを容易に判別でき、後に見直したときユーザーが他の画像と区別しやすくなっている。
【００５６】
なお、上記実施形態においては、一回のレリーズ全押し動作に応じて最初にノンフラッシュ撮影を、その後にフラッシュ撮影の順で各１回ずつ撮影を行っているが、本発明はこれに限るものではなく、最初にフラッシュ撮影を、その後にノンフラッシュ撮影の順で撮影を行うようにしてもよい。これによって、フラッシュ撮影時の発光でユーザー及び被写体に撮影が行われていることを認識させた後、ノンフラッシュ撮影を行うことができる。さらに、ノンフラッシュ撮影・フラッシュ撮影の順で行うときは、ノンフラッシュ撮影の後、フラッシュ撮影で十分な発光量を得るまでに長いタイムラグが生じるが、フラッシュ撮影・ノンフラッシュ撮影の順で行うことによって、両方の撮影の間のタイムラグを短縮することができる。
【００５７】
また、ノンフラッシュ撮影・フラッシュ撮影の順番については、予め設定された順番通りに行うものではなく、撮影前に決定された露出設定に応じて順番を変更するようにしてもよい。この場合、例えば、ノンフラッシュ撮影及びフラッシュ撮影のうち、ＣＰＵ２１が決定した露出設定でシャッタスピードが短いほうの撮影を最初に行い、その後にシャッタスピードが長いほうの撮影を行うようにすればよい。
【００５８】
また、撮影の回数としては、ノンフラッシュ撮影及びフラッシュ撮影を少なくとも各１回以上、且つ合計２回以上行うことによって、ノンフラッシュ撮影とフラッシュ撮影の画像を比較することができるため、上記実施形態と同様の効果を得ることができる。
【００５９】
なお、上記実施形態の構成に加えて、フラッシュ発光装置として調光制御機能を有するオートストロボを備えたデジタルカメラとすることもできる。このオートストロボを備えた本発明の第６実施形態を適用したデジタルカメラの構成を図２０のブロック図に示す。なおこの図２０に示すデジタルカメラ１２０としては、上記実施形態と同様の部品を使用しているものについては同符号を付して説明を省略する。このデジタルカメラ１２０に内蔵されたオートストロボ１２１は、ストロボ発光回路１２２、放電管１２３、調光回路１２４、調光用センサ１２５から構成されている。フラッシュ撮影を行う場合は、ＣＰＵ２１からの制御信号によってストロボ発光回路１２２内のメインコンデンサが充電され、レリーズに同期してシンクロ信号が発光回路１２２及び調光回路１２４に入力される。発光回路１２２ではシンクロ信号の入力により、メインコンデンサ内に貯えられた電荷を放電管１２３に流すことで、被写体に向けてストロボ光を照射する。調光回路１２４は、シンクロ信号が入力され、且つＣＣＤ３５による被写体の露光が開始されたときに、調光用センサ１２５から検出された被写体からのストロボ反射光の輝度に応じた輝度信号を受け取り、この輝度信号を時間積分し、この積分値が予め設定された閾値に達したときに停止信号を発光回路１２２に出力する。発光回路１２２は、調光回路１２４からの停止信号を受けると放電管１２３へ流す電流を遮断し、発光を停止する。
【００６０】
本実施形態では、特殊連続撮影モード下で、少なくとも１回以上のノンフラッシュ撮影と、複数回のフラッシュ撮影と連続して行う設定で、且つフラッシュ撮影時にＣＣＤ３５の撮影感度を上昇させるようにＣＰＵ２１が制御を行う。これによって、フラッシュ撮影が行われるときに、オートストロボ１２１の発光量を小さく、すなわちメインコンデンサへの充電を少なくすることができる。よって、フラッシュ撮影を連続して行うとき、撮影間のタイムラグを短縮することができる。
【００６１】
なお、本実施形態では、オートストロボ１２１が調光制御を行うタイミングは、レリーズ半押し時及び全押し時に応じたタイミングに限るものではなく、特殊連続撮影モードが選択された直後から、撮影を終了までの間であれば、どのタイミングで調光制御を開始してもよく、例えば特殊連続撮影モードが開始してから所定の時間間隔、あるいは、直前の撮影後から所定の時間を置いたタイミングなどで調光制御を開始してフラッシュ撮影を行うようにしてもよく、さらにまた、レリーズボタン１６以外の操作手段による入力に応じて調光制御を開始するようにしてもよい。
【００６２】
なお、これらに限らず、本撮影（画素数の大きな本画像データを取得するときの撮影）の前に仮撮影を行い、このときに調光制御を行うことによって、本撮影のときに調光制御に掛かる時間を短縮することができる。以下で説明する本発明の第７実施形態では、本撮影の前に調光制御を行う構成について例示する。なお、部品構成などは、上述のデジタルカメラ１２０と同様であり、説明を省略する。このような調光制御を行うデジタルカメラで特殊連続撮影を行うときには、図２１のフローチャートに示すように、電源オン状態（ｓｔ１）としてから、特殊連続撮影モードを選択すると（ｓｔ２）、ＬＣＤパネル１５にスルー画像が表示される（ｓｔ３）。そしてレリーズボタン１６を半押し位置に押し下げると（ｓｔ４）、ノンフラッシュ仮撮影（ｓｔ５）及びフラッシュ仮撮影（ｓｔ６）がスタートする。なお、これらの仮撮影の直前に赤目軽減用の発光を行うようにしてもよい。
【００６３】
ノンフラッシュ仮撮影（ｓｔ５）では、オートストロボ１２１のフラッシュ発光を行わずにＡＥ処理及びＡＦ処理などを行い、このときの輝度積分値や、コントラストが最も高くなるレンズ２６の位置情報などをＣＰＵ２１に送る。ＣＰＵ２１は、これらの値から後述するノンフラッシュ本撮影用の露出設定を決定する。そして、フラッシュ仮撮影（ｓｔ６）では、オートストロボ１２１で調光制御したフラッシュ発光（プリ発光）を行い、このときの輝度積分値や、コントラストが最も高くなるレンズ２６の位置情報、さらに調光制御したときに調光用センサ１２５で受光した輝度値（被写体からのストロボ反射光）の情報をＣＰＵ２１に送る。ＣＰＵ２１は、これらの値から、後述するフラッシュ本撮影用の露出設定、及びオートストロボ１２１の発光量を演算する（ｓｔ７）。なお、これらの仮撮影を行うときは、本撮影のときよりも少ない画素数で撮影を行い、時間短縮を図るようにしてもよい。
【００６４】
ユーザーがスルー画像を確認して（ｓｔ８）、レリーズボタン１６を全押し位置に押し下げると（ｓｔ９）、次の瞬間、ＣＰＵ２１は上述した仮撮影（ｓｔ５）のときに決定された露出設定に基づいて絞り、シャッタ速度などを制御してノンフラッシュ本撮影を行う（ｓｔ１０）。続いて、上述の仮撮影（ｓｔ６）の露出設定に基づく絞り、シャッタ速度などに制御されるとともに、発光量演算（ｓｔ７）の結果に基づく発光量でオートストロボ１２１が発光をするようにＣＰＵ２１が制御を行い、この発光に同期させながらフラッシュ本撮影を行う（ｓｔ１１）。そして、ノンフラッシュ本撮影及びフラッシュ本撮影で取得した確認画像を表示（ｓｔ１２）し、これらの画像をメモリカード５１に書き込む（ｓｔ１３）。そして、所定の枚数分の画像データが取得されると特殊連続撮影モード下での撮影が終了する。
【００６５】
このように、特殊連続撮影モード下で、ノンフラッシュ本撮影及びフラッシュ本撮影の前に仮撮影、調光制御、及び発光量の演算を行っているので、ノンフラッシュ本撮影及びフラッシュ撮影の間で調光制御等を行う必要がなく、タイムラグを短縮することができる。また、本撮影の前に発光を行っているため、ユーザ及び被写体に対して撮影が開始したことを認識させることができる。
【００６６】
なお、本撮影の前に仮撮影を行う場合、フラッシュ仮撮影のときのフラッシュ発光（プリ発光）と赤目軽減用の発光を兼用するようにしてもよい。これによって、フラッシュ仮撮影時の赤目軽減用発光とフラッシュ本撮影時のフラッシュ発光との差が大きくなり、瞳孔が閉じるのに十分な時間を置いているからフラッシュ本撮影時に高い赤目軽減効果を得ることができ、さらに赤目軽減用発光として別の発光手段を設ける必要がないため、発光回数を抑制し、デジタルカメラのバッテリ消費量を少なくすることができる。
【００６７】
なお、上記実施形態では、撮影前には、ＬＣＤパネル１５に表示される画像としては、リアルタイムのスルー画像のみを表示する構成としているが、本発明はこれに限るものではなく、特殊連続撮影モード下で本撮影を行う前に、ノンフラッシュ及びフラッシュの仮撮影を行って、この仮撮影で取得したプレビュー画像をＬＣＤパネル１５にそれぞれ表示させるようにしてもよい。これによって本撮影の前にプレビュー画像を確認することができる。また、仮撮影のときは画素数の少ない（解像度の低い）画像データを取得することでプレビュー画像を素早く表示することができ、本撮影のときは、仮撮影のときよりも画素数の多い（解像度の高い）画像データを出力し、高精細な画像を得ることができる。
【００６８】
また、上記実施形態では、特殊連続撮影モード下で、撮影前に表示される警告情報としては、ノンフラッシュ撮影及びフラッシュ撮影のうち、いずれか一方で警告があることを示す警告表示を行っているが、本発明はこれに限るものではなく、ノンフラッシュ撮影及びフラッシュ撮影で警告があることをそれぞれ示す警告表示を行うようにしてもよい。この場合、例えば、図２２に示すように、上段〈点線１５１ａで囲まれた範囲）が１枚目（ノンフラッシュ撮影）の情報で、下段（点線１５１ｂで囲まれた範囲）が２枚目（フラッシュ撮影の情報とすればよい。なお、符号１５２ａ，１５２ｂは、各撮影時の撮影情報で、その隣のマーク１５３ａ〜１５３ｄが各警告内容を示す表示である。このようにして、各撮影毎に撮影情報及び警告情報を表示し、ユーザに知らせることができる。
【００６９】
また、上記の例では、スルー画像表示の画面内で警告情報を表示しているが本発明はこれに限るものではなく、図２３に示すように１枚目（ノンフラッシュ撮影）及び２枚目（フラッシュ撮影）のプレビュー画像をそれぞれ取得してその一部〈例えば中心付近）を拡大した部分拡大画像１５６ａ，１５６ｂをそれぞれ表示するとともに、上記の例と同様に撮影情報１５２ａ，１５２ｂ及び警告情報１５３ａ〜１５３ｄを表示するようにしてもよい。これによって、本撮影の前に、１枚目（ノンフラッシュ撮影）及び２枚目（フラッシュ撮影）の情報をさらに確実に知ることができ、また部分拡大画像を見ることで確認を行うことができる。
【００７０】
また、撮影情報及び警告情報の表示としては、これらのものに限らず、所定の順番、例えば１枚目の撮影（上記実施形態ではノンフラッシュ撮影）に関する撮影条件、及び警告情報を表示するようにしてもよい。これによって、情報内容が少なく、小さな表示領域でも情報を知らせることができ、スルー画像などを表示する領域を大きくとることができる。さらにまた、上記の例のように所定の順番の撮影に関する撮影条件及び警告条件を表示するのではなく、ＣＰＵ（露出決定手段）２１が露出設定を決定したとき、シャッタスピードが遅く設定されたほうの撮影に関する撮影条件、及び警告情報を表示するようにしてもよい。シャッタスピードが遅く設定されたほうの撮影を選択することによって、警告が出やすい（手ブレなどが発生しやすい）ほうの撮影に関する撮影条件、及び警告情報を表示することができる。また、図２４に示すように、ＣＰＵ（露出決定手段）２１が露出設定を決定したとき、シャッタスピードが遅く設定されたほうの撮影情報１５７と、１枚目（ノンフラッシュ撮影）及び２枚目（フラッシュ撮影）の両方の撮影のうち、少なくともいずれか一方で警告があるときの警告情報１５８ａ〜ｄ（上記第５実施形態の警告表示と同様）を表示するようにしてもよい。
【００７１】
また撮影情報及び警告情報を表示するタイミングとしては、例えば図２５に示すように、特殊連続撮影モードの開始から１枚目（フラッシュ撮影）の撮影が終了するまでは１枚目の撮影情報１６１ａ及び警告情報１６２ａを表示し（図２５（Ａ））、１枚目の撮影が終了した直後からは、２枚目の撮影情報１６１ｂ及び警告情報１６２ｂを表示するようにしてもよい（図２５（Ｂ））。これによって、次の撮影を対象とする情報のみが表示されるため、情報内容が少なく、小さな表示領域でも情報を知らせることができ、スルー画像などを表示する領域を大きくとることができる。なお、特殊連続撮影モード下で、１回のレリーズで３枚以上撮影を行う場合も、２枚目の撮影が終了した直後からは３枚目の情報を表示し、以後同様にして情報の表示を行うようにすればよい。
【００７２】
また、撮影情報及び警告情報を表示するタイミングとしては、上記のものに限らず、最初の撮影を行った直後、各コマの撮影の直後、及び特殊連続撮影を終了した直後などのいずれかで表示を行ってもよい。あるいは、ＣＰＵ（露出決定手段）２１が露出設定を決定した直後に、この露出設定を含む撮影情報及び警告情報を表示するようにしてもよい。これによって、露出設定の決定前は、画面の表示がシンプルとなるため確認をしやすい。
【００７３】
なお、上記実施形態では、撮影情報及び警告情報をＬＣＤパネル１５の画面内に表示しているが、これに限らず、別の表示手段を設けてこれらの情報を表示してもよい。
【符号の説明】
【００７４】
１０  デジタルカメラ
１５  ＬＣＤパネル
２１  ＣＰＵ
３５  ＣＣＤ
３１  絞り駆動機構
５１  メモリカード
５３  ＡＥ検出回路
【図１】
2010224560.tif 000003
【図２】
2010224560.tif 000004
【図３】
2010224560.tif 000005
【図４】
2010224560.tif 000006
【図５】
2010224560.tif 000007
【図６】
2010224560.tif 000008
【図７】
2010224560.tif 000009
【図８】
2010224560.tif 000010
【図９】
2010224560.tif 000011
【図１０】
2010224560.tif 000012
【図１１】
2010224560.tif 000013
【図１２】
2010224560.tif 000014
【図１３】
2010224560.tif 000015
【図１４】
2010224560.tif 000016
【図１５】
2010224560.tif 000017
【図１６】
2010224560.tif 000018
【図１７】
2010224560.tif 000019
【図１８】
2010224560.tif 000020
【図１９】
2010224560.tif 000021
【図２０】
2010224560.tif 000022
【図２１】
2010224560.tif 000023
【図２２】
2010224560.tif 000024
【図２３】
2010224560.tif 000025
【図２４】
2010224560.tif 000026
【図２５】
2010224560.tif 000027